(57)【要約】【課題】記憶手段の記憶容量を越える多量の撮影画像データを取得する場合にも、取得した撮影画像データを削除することなく、新たな撮影画像データの取得を継続できるデジタルカメラ、及び当該取得された撮影画像データをバックアップ記憶するバックアップ装置を提供すること。【解決手段】デジタルカメラ１０では、撮影画像データをメモリカードへ記憶する際に、メモリカードにおいてその撮影画像データを記憶するため容量を確保できない場合には、デジタルカメラ１０の通信Ｉ／Ｆ３６及びバックアップカード７０の通信Ｉ／Ｆ７４により、その撮影画像データをデジタルカメラ１０からバックアップカード７０へ転送して記憶する。また、デジタルカメラ１０では、バックアップカード７０に転送記憶した撮影画像データを、通信Ｉ／Ｆ３４、７４を介して、読み込むことができる。【選択図】        図１
2004153369.tif 000002
【特許請求の範囲】
【請求項１】
撮影により被写体像の画像データを取得する撮像手段と、
前記撮像手段により取得された画像データを記憶する記憶手段と、
前記記憶手段の記憶可能容量を検出する検出手段と、
前記検出手段により検出された前記記憶手段の記憶可能容量が所定量以下である場合に、前記記憶手段に記憶済みの画像データ及び前記撮像手段によって取得され前記記憶手段に記憶される前の画像データの少なくとも何れかを外部へ送信する通信手段と、
を備えたデジタルカメラ。
【請求項２】
前記記憶手段に記憶済みの画像データの少なくとも１つを選択するための選択手段を更に備え、
前記通信手段により送信される画像データが前記記憶手段に記憶済みの画像データである場合には、前記選択手段により前記記憶手段に記憶済みの画像データから選択された画像データを、前記通信手段により送信される画像データとすることを特徴とする請求項１記載のデジタルカメラ。
【請求項３】
前記通信手段は、前記画像データを、受信した画像データを記憶可能な所定の外部記憶装置へ送信することを特徴とする請求項１又は２に記載のデジタルカメラ。
【請求項４】
前記外部記憶装置に記憶済みの画像データを指定する指定手段を更に備え、
前記通信手段は、前記指定手段により指定された前記外部記憶装置に記憶済みの画像データの送信要求を前記外部記憶装置に対して行うと共に、当該送信要求に基づいて前記外部記憶装置から送信される画像データを受信することを特徴とする請求項３記載のデジタルカメラ。
【請求項５】
前記通信手段は、前記外部記憶装置から当該外部記憶装置に記憶済みの画像データを示すインデックス情報を受信し、前記指定手段は、当該インデックス情報に基づいて、前記外部記憶装置に対する送信要求対象の画像データを指定することを特徴とする請求項４記載のデジタルカメラ。
【請求項６】
請求項３に記載のデジタルカメラのバックアップ装置であって、
前記通信手段から送信される画像データを受信するデータ通信手段と、
前記データ通信手段により受信された画像データを記憶するデータ記憶手段と、
を備えたバックアップ装置。
【請求項７】
請求項４に記載のデジタルカメラのバックアップ装置であって、
前記通信手段から送信される画像データを受信するデータ通信手段と、
前記データ通信手段により受信された画像データを記憶するデータ記憶手段と、
を備え、
前記データ通信手段は、データ記憶手段に記憶済みの画像データから前記送信要求された画像データを前記デジタルカメラへ送信することを特徴とするバックアップ装置。
【請求項８】
請求項５に記載のデジタルカメラのバックアップ装置であって、
前記通信手段から送信される画像データを受信するデータ通信手段と、
前記データ通信手段により受信された画像データを記憶するデータ記憶手段と、
を備え、
前記データ通信手段は、前記データ記憶手段に記憶済みの画像データを示すインデックス情報を送信することを特徴とするバックアップ装置。
【発明の詳細な説明】
【０００１】
【発明の属する技術分野】
本発明は、デジタルカメラ及びバックアップ装置、特に、被写体像の撮影画像データを記憶するデジタルカメラ及び当該デジタルカメラに記憶された撮影画像データをバックアップ記憶するバックアップ装置に関する。
【０００２】
【従来の技術】
従来のデジタルカメラでは、被写体像を静止画像或いは動画像として撮影して取得した撮影画像データは、当該デジタルカメラに内蔵されたフラッシュメモリや、当該デジタルカメラに装着された着脱可能な記録メディアとしてのメモリカード（例えば、スマート・メディア（ＳｍａｒｔＭｅｄｉａ（Ｒ））、コンパクト・フラッシュ（ＣｏｍｐａｃｔＦｌａｓｈ）、マイクロ・ドライブ等）に記録されるようになっている。一般に、これらのメモリカードは、複数のデジタルカメラやその他の画像データ処理装置間におけるデータ共有のための記録媒体として用いられる（例えば、特許文献１参照）。
【０００３】
【特許文献１】
特開２００１−２５１３９４号公報
【０００４】
【発明が解決しようとする課題】
しかしながら、上記のようなメモリカードは、デジタルカメラ本体に着脱可能とするために小型化が図られ、その記録容量もある程度限られている。このため、メモリカードの記憶容量を越える多量の撮影画像データを取得し記憶する場合には、記憶容量の大きい高価なメモリカードを予め複数個用意して、デジタルカメラ本体に逐次差し替えて使用する必要があり、新たな撮影操作を行うまでに手間がかかることがあった。さらに、上記のように複数個のメモリカードを用いても、取得した撮影画像データのための記憶容量が不足する場合には、取得した撮影画像データのための記憶容量を確保するために、取得した撮影画像データのなかから不要とするデータを逐次選択して削除する必要があり、新たな撮影操作を行うまでに手間がかかることがあった。
【０００５】
本発明は、上記事実を鑑み成されたものであり、記憶手段の記憶容量を越える多量の撮影画像データを取得する場合にも、取得した撮影画像データを削除することなく、新たな撮影画像データの取得を継続できるデジタルカメラ、及び当該取得された撮影画像データをバックアップ記憶するバックアップ装置を提供することを目的とする。
【０００６】
【課題を解決するための手段】
請求項１に記載の発明は、撮影により被写体像の画像データを取得する撮像手段と、前記撮像手段により取得された画像データを記憶する記憶手段と、前記記憶手段の記憶可能容量を検出する検出手段と、前記検出手段により検出された前記記憶手段の記憶可能容量が所定量以下である場合に、前記記憶手段に記憶済みの画像データ及び前記撮像手段によって取得され前記記憶手段に記憶される前の画像データの少なくとも何れかを外部へ送信する通信手段と、を備えている。
【０００７】
請求項１に記載の発明によれば、記憶手段は、撮像手段により取得された被写体像の画像データを記憶する。また、検出手段は、記憶手段の記憶可能容量を検出する。通信手段は、検出手段により検出された記憶手段の記憶可能容量が所定量以下である場合、すなわち、記憶手段において、撮影手段により取得された被写体像の画像データを記憶するための容量を確保できない場合に、記憶手段に記憶済みの画像データ及び撮像手段によって取得され記憶手段に記憶される前の画像データの少なくとも何れかを外部へ送信する。これにより、記憶手段において、撮影手段により取得される被写体像の画像データを記憶するための容量を確保できない場合にも、記憶手段に記憶済みの画像データを削除することなく、撮像手段による新たな画像データの取得を継続することができる
請求項２に記載の発明は、請求項１に記載の発明において、前記記憶手段に記憶済みの画像データの少なくとも１つを選択するための選択手段を更に備え、前記通信手段により送信される画像データが前記記憶手段に記憶済みの画像データである場合には、前記選択手段により前記記憶手段に記憶済みの画像データから選択された画像データを、前記通信手段により送信される画像データとすることを特徴としている。
【０００８】
請求項２に記載の発明によれば、前記通信手段により送信される画像データが前記記憶手段に記憶済みの画像データである場合には、選択手段により記憶手段に記憶済みの画像データのなかから、例えば、その時点で使用しない画像データ等を、少なくとも１つを選択し、その選択した画像データを通信手段により送信される画像データとすることで、記憶手段の記憶容量を効果的に確保することができる。
【０００９】
請求項３に記載の発明は、請求項１又は２に記載の発明において、前記通信手段は、前記画像データを、受信した画像データを記憶可能な所定の外部記憶装置へ送信することを特徴としている。
【００１０】
請求項３に記載の発明によれば、通信手段により外部へ送信される画像データは、前記所定の外部記憶装置で保持することができる。
【００１１】
請求項４に記載の発明は、請求項３に記載の発明において、前記外部記憶装置に記憶済みの画像データを指定する指定手段を更に備え、前記通信手段は、前記指定手段により指定された前記外部記憶装置に記憶済みの画像データの送信要求を前記外部記憶装置に対して行うと共に、当該送信要求に基づいて前記外部記憶装置から送信される画像データを受信することを特徴としている。
【００１２】
請求項４に記載の発明によれば、指定手段は前記外部記憶装置に記憶済みの画像データを指定する。通信手段は、指定手段により指定された前記外部記憶装置に記憶済みの画像データの送信要求を前記外部記憶装置に対して行うと共に、当該送信要求に基づいて前記外部記憶装置から送信される画像データを受信することで、前記外部記憶装置に送信され記憶された画像データを所望に指定して受信することができる。
【００１３】
請求項５に記載の発明は、請求項４に記載の発明において、前記通信手段は、前記外部記憶装置から当該外部記憶装置に記憶済みの画像データを示すインデックス情報を受信し、前記指定手段は、当該インデックス情報に基づいて、前記外部記憶装置に対する送信要求対象の画像データを指定することを特徴としている。
【００１４】
請求項５に記載の発明によれば、通信手段は、前記外部記憶装置から当該外部記憶装置に記憶済みの画像データを示すインデックス情報を受信し、指定手段は、当該インデックス情報に基づいて、前記外部記憶装置に対する送信要求対象の画像データを指定することで、前記外部記憶装置に記憶されている画像データの送信要求指定を効率的に行うことができる。
【００１５】
請求項６に記載の発明は、請求項３に記載のデジタルカメラのバックアップ装置であって、前記通信手段から送信される画像データを受信するデータ通信手段と、前記データ通信手段により受信された画像データを記憶するデータ記憶手段と、を備えている。
【００１６】
請求項６に記載の発明によれば、データ通信手段は、請求項３に記載のデジタルカメラの通信手段から送信される画像データを受信する。また、データ記憶手段は、記データ通信手段により受信された画像データを記憶する。これにより、請求項３に記載のデジタルカメラの通信手段から送信される画像データをデータ記憶手段にて保持することができる。
【００１７】
請求項７に記載の発明は、請求項４に記載のデジタルカメラのバックアップ装置であって、前記通信手段から送信される画像データを受信するデータ通信手段と、前記データ通信手段により受信された画像データを記憶するデータ記憶手段と、を備え、前記データ通信手段は、データ記憶手段に記憶済みの画像データから前記送信要求された画像データを前記デジタルカメラへ送信することを特徴としている。
【００１８】
請求項７に記載の発明によれば、データ通信手段は、請求項４に記載のデジタルカメラの通信手段からの画像データの送信要求に基づいて、データ記憶手段に記憶済みの画像データから前記送信要求された画像データを前記デジタルカメラへ送信することで、データ記憶手段に記憶済みの画像データを、請求項４に記載のデジタルカメラからの送信要求に応じて適切に送信することができる。
【００１９】
請求項８に記載の発明は、請求項５に記載のデジタルカメラのバックアップ装置であって、前記通信手段から送信される画像データを受信するデータ通信手段と、前記データ通信手段により受信された画像データを記憶するデータ記憶手段と、を備え、前記データ通信手段は、前記データ記憶手段に記憶済みの画像データを示すインデックス情報を送信することを特徴としている。
【００２０】
請求項８に記載の発明によれば、データ通信手段は、データ記憶手段に記憶済みの画像データを示すインデックス情報を送信することで、請求項５に記載のデジタルカメラ側では、そのインデックス情報を前記通信手段にて受信し、前記指定手段による送信要求対象とする画像データ指定のためのインデックス情報として用いることができる。
【００２１】
【発明の実施の形態】
以下、図面を参照して本発明の実施の形態を詳細に説明する。
【００２２】
図１に示すように、本発明の実施の形態に係るデジタルカメラ１０及びバックアップカード７０との間では、デジタルカメラ１０が備える通信インターフェース（Ｉ／Ｆ）３６（詳細は後述）及びバックアップカード７０が備える通信Ｉ／Ｆ７４（詳細は後述）を介して、画像データを含む各種データの授受可能とされている。
【００２３】
本実施の形態に係るデジタルカメラ１０は、図２の（Ａ）及び（Ｂ）に示すように、本体１２が略箱型形状であり、正面から見て左側には、本体１２の把持を容易とするための把持部が形成されている。
【００２４】
本体１２の正面側には、図２（Ａ）に示すように、被写体像を結像させるためのレンズ１４、撮影範囲等を目視で確認するためのファインダ１６、撮影時に必要に応じて（例えば、低照度での撮影の場合等に）被写体に照射する補助光を発するストロボ発光管１８、及び上記通信Ｉ／Ｆ３６が設けられている。
【００２５】
本体１２の上面には、正面から見て左側に、このデジタルカメラ１０の動作モード（例えば、静止画像撮影モードや動画像撮影モード等の各種撮影モード、撮影画像再生モード、各種セットアップ項目設定モード、及び後述するバックアップ画像読込モード等）の１つを選択する際に用いるモードダイヤル２０、及び電源スイッチ２２が設けられ、モードダイヤル２０の中央部には、撮影する際にユーザによって押圧操作されるレリーズボタン（所謂シャッター）２４が設けられている。
【００２６】
なお、本実施の形態に係るレリーズボタン２４は、中間位置まで押下される状態（以下、「半押し状態」という。）と、当該中間位置を超えた最終押下位置まで押下される状態（以下、「全押し状態」という。）と、の２段階の押圧操作が検出可能に構成されている。そして、本実施の形態に係るデジタルカメラ１０では、レリーズボタン２４を半押し状態にすることによりＡＥ（Ａｕｔｏｍａｔｉｃ  Ｅｘｐｏｓｕｒｅ、自動露出）機能が働いて露出状態（シャッタースピード、絞りの状態）が設定された後、ＡＦ機能が働いて合焦制御され、その後、引き続き全押し状態にすると露光（撮影）が行われるようになっている。
【００２７】
本体１２の正面から見て右側の側面には、撮影により得られた画像データ（撮影画像データ）を記憶するためのメモリカード６０（図３参照）を装填可能なスロット２６が設けられており、このスロット２６内部には、後述するメディア制御部４８（図３参照）が備えるコネクタ部（図示せず）が配設されている。スロット２６に装填されたメモリカード６０は、このコネクタ部を介して上記メディア制御部４８と物理的に接続されることで、上記メディア制御部４８とメモリカード６０との間で各種データの授受が可能とされている。なお、このメモリカード６０としては、スマート・メディア（ＳｍａｒｔＭｅｄｉａ（Ｒ））、コンパクト・フラッシュ（ＣｏｍｐａｃｔＦｌａｓｈ）、ＡＴＡ（ＡＴ  Ａｔｔａｃｈｍｅｎｔ）カード、フロッピィディスク等の可搬記録媒体を採用することができる。
【００２８】
また、図２（Ｂ）に示すように、本体１２の背面の下方側には、反射型ＬＣＤ又は透過型ＬＣＤから成るカラー表示可能なディスプレイ（ＬＣＤ）２８が取付けられており、ＬＣＤ２８の上方側には、強制発光ボタン３０、十字ボタン３２、及びメニュー実行ボタン３４等の各種選択ボタンが設けられている。
【００２９】
ＬＣＤ２８は、表示画面サイズが所定ピクセル数（例えば、６４０×４８０ピクセル）に設定された液晶表示パネルで構成されており、画像表示指示がある場合に、撮影時における撮影対象の画像や後述する内蔵メモリ４６（図３参照）及び上記メモリカード６０から読み込んだ画像データに基づく画像を、画面全体に表示したり、複数の縮小画像を並べて表示（サムネイル表示）したり、各種機能選択画面を表示する。
【００３０】
強制発光ボタン３０は、以後の撮影時にストロボ発光管１８を強制的に発光させるモードである強制発光モードやストロボ発光管１８の発光を禁止する発光禁止モードの設定指示をするためのボタンである。
【００３１】
また、十字ボタン３２は、ＬＣＤ２８の表示内容が各種項目選択画面のときにＬＣＤ２８に表示された選択項目領域を選択したり、カーソルを移動させるためのボタンであり、メニュー実行ボタン３４は、ＬＣＤ２８に表示されて十字ボタン３２で選択された選択項目に対応する処理の実行を決定するためのボタンである。
【００３２】
図３には、本実施の形態に係るデジタルカメラ１０の概略構成が示されている。このデジタルカメラ１０は、当該デジタルカメラ１０の動作全般の主制御部であるＣＰＵ４０、撮像系制御部４２、画像信号処理部４４、内蔵メモリ４６、上記メディア制御部４８、上記ＬＣＤ２８の表示制御を行うＬＣＤ制御部５０、及び上記通信Ｉ／Ｆ３６の制御を行う通信制御部５２を主要構成としている。ＣＰＵ４０、撮像系制御部４２、画像信号処理部４４、内蔵メモリ４６、メディア制御部４８、ＬＣＤ制御部５０、及び通信制御部５２の各々はバスＢＵＳを介して相互に各種データの授受可能に接続されており、ＣＰＵ４０によって各部における制御処理動作の実行制御がなされるようになっている。
【００３３】
撮像系制御部４２は、被写体像を撮像するＣＣＤや当該ＣＣＤに被写体像に対応する光を導光するための上記レンズ１４を含む光学ユニット等からなる撮像系（図示せず）を駆動制御するためのものである。
【００３４】
画像信号処理部４４は、前記撮像系制御部４２の制御によって上記ＣＣＤにより動画像或いは静止画像として撮像される被写体像に対応するアナログ画像データをデジタル信号変換してデジタル画像データを取得すると共に、当該デジタル画像データに対して所定の画像圧縮形式による圧縮処理を施し、かつ、圧縮されたデジタル画像データに対してその画像圧縮形式に応じた伸張処理を施すためのものである。なお、前記所定の画像圧縮形式としては、静止画像のデジタル画像データに対してはＪＰＥＧ（Ｊｏｉｎｔ  Ｐｈｏｔｏｇｒａｐｈｉｃ  Ｅｘｐｅｒｔｓ  Ｇｒｏｕｐ）フォーマット等を、また、動画像のデジタル画像データに対してはＡＶＩ（Ａｕｄｉｏ  Ｖｉｄｅｏ  Ｉｎｔｅｒｌｅａｖｅｄ）やＭＰＥＧ（Ｍｏｖｉｎｇ  Ｐｉｃｔｕｒｅ  Ｅｘｐｅｒｔｓ  Ｇｒｏｕｐ）フォーマット等を採用することができる。
【００３５】
内蔵メモリ４６は、主として撮影によって得られたデジタル画像データを一時的に記憶するＲＡＭ、及び各種制御プログラムや所定のパラメータ等を予め記憶するＲＯＭを含んで構成されている。なお、前記ＲＡＭは、前記画像信号処理部４４による圧縮・伸張処理のワークエリアとしても用いられる。
【００３６】
メディア制御部４８は、デジタルカメラ１０に装着されたメモリカード６０に対する各種データの書込みや、当該メモリカード６０に書き込まれている各種データの読み出しを制御すると共に、メモリカード６０におけるデータ記憶量或いは記憶可能残り容量の検出を行うためのものである。
【００３７】
本実施の形態に係るデジタルカメラ１０では、前記画像信号処理部４４で取得されたデジタル画像データは、ＣＰＵ４０の制御下で、ホワイトバランス調整処理、ガンマ処理、及びシャープネス処理等が施された後、ＹＣ信号変換処理が施されてＹＣ信号データ（輝度信号Ｙ、クロマ信号Ｃｒ、Ｃｂ）に変換されて、内蔵メモリ４６のＲＡＭに一旦格納される。ここで、ユーザによって上記レリーズボタン２４が押圧操作された場合には、内蔵メモリ４６のＲＡＭに格納された上記ＹＣ信号データは、所定の圧縮形式（例えば、静止画像の場合にはＪＰＥＧ圧縮形式など、動画像の場合にはＭＰＥＧ圧縮形式など）による圧縮処理が施された後に、メディア制御部４８を介して、撮影画像データとしてメモリカード６０に記憶される。
【００３８】
ＬＣＤ制御部５０にはＬＣＤ２８が接続されており、ＬＣＤ２８ではＬＣＤ制御部５０の制御下で、上記撮影画像データやその他の各種情報が表示される。
【００３９】
通信制御部５２は、通信Ｉ／Ｆ３６を介して無線通信（例えば、ＩｒＤＡ通信、Ｂｌｕｅｔｏｏｔｈ通信等）により上記バックアップカード７０との間で相互に撮影画像データを含む各種データの授受を行うためのものである。なお、通信Ｉ／Ｆ３６は、無線通信に伴う各種制御信号（データ信号、同期クロック信号、コマンド信号等）を上記バックアップカード７０側へ送信する送信部３６Ａと、上記バックアップカード７０側から送信される上記各種制御信号を受信する受信部３６Ｂとから構成されている。
【００４０】
また、ＣＰＵ４０には、上記のモードダイヤル２０、電源スイッチ２２、レリーズボタン２４、強制発光ボタン３０、十字ボタン３２、及びメニュー実行ボタン３４の各種ボタン類やスイッチ類（図３では、「操作ボタン系５４」と総称。）が接続されており、ＣＰＵ４０は、これらの操作ボタン系５４における操作状態を常時把握できるようになっている。
【００４１】
図４には、本実施の形態に係るバックアップカード７０の概略構成が示されている。このバックアップカード７０は、メイン制御部としてのメインコントローラ（ＭＣ）７２、上述のデジタルカメラ１０の通信Ｉ／Ｆ３６との無線通信に伴う上記各種制御信号をデジタルカメラ１０側へ送信する送信部７４Ａ及びデジタルカメラ１０側から送信される上記各種制御信号を受信する受信部７４Ｂからなる通信Ｉ／Ｆ７４、当該通信Ｉ／Ｆ７４を介してデジタルカメラ１０との間で相互に撮影画像データを含む各種データの授受を行うためのデータ処理部７６、及びデータを記憶する記憶部７８を主要構成としている。なお、通信Ｉ／Ｆ７４、データ処理部７６及び記憶部７６の各々は、ＭＣ７２と間で各種制御信号の授受可能に接続されており、ＭＣ７２によって各部における制御処理動作の実行制御がなされるようになっている。
【００４２】
また、データ処理部７６は、データバス８０を介して通信Ｉ／Ｆ７４の送信部７４Ａと接続され、かつデータバス８２を介して通信Ｉ／Ｆ７４の受信部７４Ｂと接続されると共に、データバス８４を介して記憶部７８と接続されている。これにより、データ処理部７６では、記憶部７８に記憶された撮影画像データを読み出して通信Ｉ／Ｆ７４の送信部７４Ａを介してデジタルカメラ１０側へ送信することができると共に、通信Ｉ／Ｆ７４の受信部７４Ｂで受信された、デジタルカメラ１０側から送信された撮影画像データを記憶部７８へ書き込み記憶するｋとができる。
【００４３】
また、データ処理部７６では、ＭＣ７２の制御下で、記憶部８４に記憶格納されている撮影画像データを示すインデックス情報（例えば、データファイル名、データサイズ、データ種別、タイムスタンプ等）を生成するようになっており、生成されたインデックス情報は、データバス８０を介して通信Ｉ／Ｆ７４の送信部７４Ａへ伝達され、デジタルカメラ１０側へ送信可能とされている。なお、データ処理部７６で生成される上記インデックス情報には、記憶部８４に記憶格納されたいる各撮影画像データを縮小化したサムネイル画像データが含まれている。
【００４４】
なお、ＭＣ７２では、記憶部８４におけるデータ記憶量或いは記憶可能残り容量を検出可能とされている。
【００４５】
次に、本実施の形態の作用について説明する。
【００４６】
本実施の形態に係るデジタルカメラ１０では、各種撮影モードによる動作中において、撮影によって得られた撮影画像データをメモリカード６０に記憶するにあたり、ＣＰＵ４０の制御により図５に示す処理ルーチンが実行される。
【００４７】
まず、ステップ１００では、メモリカード６０がＦＵＬＬの状態、すなわちメモリカード６０における残り記憶容量が少なくなり、撮影画像データを記憶するための容量が不足している状態であるか否かを判断する。
【００４８】
ステップ１００で否定判断の場合には、ステップ１０６へ進み、撮影画像データをメモリカード６０へ記録して、本処理ルーチンを終了する。
【００４９】
一方、ステップ１００で肯定判断の場合には、ステップ１０２へ進み、バックアップ転送処理（詳細は後述）を実行した後、動作中であった撮影モードに復帰して本処理ルーチンを終了する。
【００５０】
ここで、上記バックアップ転送処理の流れを、図６に示すフローチャートに沿って説明する。
【００５１】
まず、ステップ２００では、デジタルカメラ１０で現在設定されている動作モードを、撮影画像データをバックアップカード７０へ転送するためのバックアップ転送モードへ移行させる。なお、このとき、デジタルカメラ１０側からは、バックアップカード７０に対して、後述する図７に示す処理ルーチンの実行指示がなされる。
【００５２】
次のステップ２０２では、ＬＣＤ２８にて、メモリカード６０に記憶されている画像データ及び今回の撮影画像データに対応する画像をサムネイル表示する。
【００５３】
ここで、ユーザが十字ボタン３２を操作してサムネイル表示された画像のなかからバックアップカード７０へ転送する画像（バックアップ画像）を１又は複数指定すると、次のステップ２０４で肯定判断されて、ステップ２０６へ進み、指定された画像に対応する画像データを、バックアップカード７０へ転送すべき画像データ（転送画像データ）として選択する。すなわち、ここでの転送画像データの選択パターンは、メモリカード６０に記憶されている画像データのみであるパターン、今回の撮影画像データのみであるパターン、及び今回の撮影画像データとメモリカード６０に記憶されている画像データであるパターンの何れかとなる。
【００５４】
ここで、ユーザがメニュー実行ボタン３４を操作して選択した転送画像データの転送を指示すると、次のステップ２０８で肯定判断されて、ステップ２１０へ進み、指示選択された転送画像データを、通信Ｉ／Ｆ３６の送信部３６Ａを介して、バックアップカード７０へ送信する。
【００５５】
バックアップカード７０への転送画像データの転送が完了すると、次のステップ２１２で肯定判断されて、ステップ２１４へ進み、上記ステップ２０６で転送画像データとして選択された画像データを削除する指示操作がユーザによりなされたか否かを判断する。
【００５６】
ここで、ユーザによる画像データの削除指示操作がない場合には、ステップ２１４で否定判断され、本処理ルーチンを終了し、一方、ユーザによる画像データの削除指示操作がなされた場合には、ステップ２１４で肯定判断され、ステップ２１６へ進み、指示された画像データを削除して本処理ルーチンを終了する。
【００５７】
一方、本実施の形態に係るバックアップカード７０では、デジタルカメラ１０において実行される上述のバックアップ転送処理のステップ２００において実行指示がなされた図７に示す処理ルーチンが、ＭＣ７２の制御により実行される。
【００５８】
まず、ステップ３００では、デジタルカメラ１０側から送信された転送画像データを、通信Ｉ／Ｆ７４の受信部７４Ｂで受信したか否かを判断する。
【００５９】
ここで、デジタルカメラ１０側から送信された転送画像データが通信Ｉ／Ｆ７４の受信部７４Ｂで受信されると、ステップ３００で肯定判断されて、ステップ３０２へ進み、記憶部７８におけるデータ記憶量（或いは記憶可能残り容量）の検出がなされる（記憶容量チェック）。
【００６０】
次のステップ３０４では、上記ステップ３０２における記憶容量チェックの結果に基づいて、受信した転送画像データを記憶部７８に記憶可能であるか否かを判断する。
【００６１】
ここで、受信した転送画像データを記憶部７８で記憶可能である場合には、上記ステップ３０４で肯定判断されて、ステップ３０６へ進み、その転送画像データを記憶部７８に記憶して、ステップ３０８へ進み、通信Ｉ／Ｆ７４の送信部７４Ａを介して、転送画像データの記憶が完了した旨を示すメッセージデータをデジタルカメラ１０側へ送信し、本処理ルーチンを終了する。これにより、デジタルカメラ１０側では、上記のメッセージデータを通信Ｉ／Ｆ３６の受信部３６Ｂを介して受信することで、転送画像データがバックアップカード７０に転送されて記憶されたことを確認することができる。
【００６２】
一方、受信した転送画像データを記憶部７８で記憶不可能である場合には、上記ステップ３０４で否定判断されて、ステップ３１０へ進み、通信Ｉ／Ｆ７４の送信部７４Ａを介して、転送画像データの記憶不可能である旨を示すメッセージデータをデジタルカメラ１０側へ送信し、本処理ルーチンを終了する。これにより、デジタルカメラ１０側では、上記のメッセージデータを通信Ｉ／Ｆ３６の受信部３６Ｂを介して受信することで、転送画像データがバックアップカード７０で記憶できなかったことを確認することができる。
【００６３】
以上のように、本実施の形態に係るデジタルカメラ１０では、撮影画像データをメモリカード６０に記憶する際に、メモリカード６０において当該撮影画像データを記憶するため容量を確保できない場合には、その撮影画像データをバックアップカード７０へ転送することにより、メモリカード６０を新たに差し替えたり、メモリカード６０に記憶済みの画像データを削除することなく、新たな撮影画像データの取得を継続することができる。
【００６４】
また、本実施の形態に係るデジタルカメラ１０では、上述のようにしてバックアップカード７０に記憶された撮影画像データを読み込むための動作モードである、バックアップ画像読込モードがユーザにより設定されると、ＣＰＵ４０の制御により図８に示す処理ルーチンが実行される。
【００６５】
まず、ステップ４００では、メモリカード６０がＦＵＬＬの状態、すなわちメモリカード６０における残り記憶容量が少なくなり、撮影画像データを記憶するための容量が不足している状態であるか否かを判断する。
【００６６】
ステップ４００で肯定判断の場合には、ステップ４２０へ進み、上述したバックアップ転送処理を実行した後、本処理ルーチンを終了する。
【００６７】
一方、ステップ４００で否定判断の場合には、ステップ４０２へ進み、通信Ｉ／Ｆ３６の送信部３６Ａを介してバックアップカード７０側へ上述のインデックス情報の取得要求を行い、これによってバックアップカード７０側から送信されるインデックス情報を、通信Ｉ／Ｆ３６の受信部３６Ｂで受信して取得する。
【００６８】
次のステップ４０４では、受信したインデックス情報に基づいて、バックアップカード７０に記憶されている撮影画像データに対応する画像をＬＣＤ２８にてサムネイル表示する。
【００６９】
ここで、ユーザが十字ボタン３２を操作してサムネイル表示された画像のなかから、バックアップカード７０から読み込むべき画像（読込画像）を１又は複数指定すると、次のステップ４０６で肯定判断されて、ステップ４０８へ進み、指定された画像に対応する画像データを、バックアップカード７０から読み込むべき画像データ（読込画像データ）として選択する。
【００７０】
ここで、ユーザがメニュー実行ボタン３４を操作して選択した読込画像データの読込を指示すると、次のステップ４１０で肯定判断されて、ステップ４１２へ進み、通信Ｉ／Ｆ３６の送信部３６Ａを介して、バックアップカード７０側へ、指示選択された読込画像データの送信要求を行い、これによってバックアップカード７０側から送信される読込画像データを、通信Ｉ／Ｆ３６の受信部３６Ｂで受信する。
【００７１】
次のステップ４１４では、受信した読込画像データに対応する画像を、ＬＣＤ２８にて表示する。
【００７２】
次のステップ４１６では、上記ステップ４１４でＬＣＤ２８に表示された読込画像をメモリカード６０へ記録する指示操作がユーザによりなされたか否かを判断する。
【００７３】
ここで、ユーザによる読込画像の記録指示操作がない場合には、上記ステップ４１６で否定判断されて、本処理ルーチンを終了し、一方、ユーザにより読込画像の記録指示操作がなされた場合には、上記ステップ４１６で肯定判断されて、ステップ４１８へ進み、その読込画像に対応する画像データをメモリカード６０に記録して、本処理ルーチンを終了する。
【００７４】
一方、本実施の形態に係るバックアップカード７０では、上述のようにユーザの操作によってバックアップ画像読込モードが設定されたデジタルカメラ１０側からは、後述する図９に示す処理ルーチンの実行指示がなされ、ＭＣ７２の制御により図９に示す処理ルーチンが実行される。
【００７５】
まず、ステップ５００では、デジタルカメラ１０側から上述のインデックス情報の取得要求があるか否かを判断する。
【００７６】
ここで、デジタルカメラ１０側からのインデックス情報の取得要求による制御信号が通信Ｉ／Ｆ７４の受信部７４Ｂで受信されると、上記ステップ５００で肯定判断されて、ステップ５０２へ進み、通信Ｉ／Ｆ７４の送信部７４Ａを介して、インデックス情報をデジタルカメラ１０側へ送信する。
【００７７】
次のステップ５０４では、デジタルカメラ１０側から記憶部７８に記憶されている画像データの送信要求があるか否かを判断する。
【００７８】
ここで、デジタルカメラ１０側からの読込画像データの送信要求による制御信号が通信Ｉ／Ｆ７４の受信部７４Ｂで受信されると、上記ステップ５０４で肯定判断されて、ステップ５０６へ進み、通信Ｉ／Ｆ７４の送信部７４Ａを介して、指示された画像データをデジタルカメラ１０側へ送信して、本処理ルーチンを終了する。
【００７９】
以上のように、本実施の形態に係るデジタルカメラ１０では、メモリカード６０に記憶する際にメモリカード６０において記憶容量を確保できずにバックアップカード７０に転送記憶した撮影画像データを所望に読み込むことができる。
【００８０】
以上説明したように、本実施の形態に係るデジタルカメラ及びバックアップカードによれば、撮影画像データを記憶するため容量をメモリカードで確保できない場合にも、その撮影画像データをバックアップカードへ転送することにより、メモリカードを新たに差し替えたり、メモリカードに記憶済みの画像データを削除することなく、新たな撮影画像データの取得を継続することができると共に、バックアップカードに転送記憶した撮影画像データは再び所望に読み込むことができる。
【００８１】
【発明の効果】
以上説明したように、本発明によれば、撮像手段により取得された被写体像の画像データを記憶する記憶手段の記憶可能容量が所定量以下である場合に、記憶手段に記憶済みの画像データ及び撮像手段によって取得され記憶手段に記憶される前の画像データの少なくとも何れかを、通信手段によって外部へ送信するようにしたので、記憶手段の記憶容量を越える多量の撮影画像データを取得する場合にも、取得した撮影画像データを削除することなく、新たな撮影画像データの取得を継続できるデジタルカメラを提供することができる、という優れた効果を有する。
【００８２】
また、本発明によれば、前記デジタルカメラの通信手段によって送信される画像データを受信して記憶することで、前記デジタルカメラにより取得された撮影画像データをバックアップ記憶するバックアップ装置を提供することができる、という優れた効果を有する。
【図面の簡単な説明】
【図１】本発明の実施の形態に係るデジタルカメラ及びバックアップカードの利用形態の一例を説明するための図である。
【図２】（Ａ）は、本発明の実施の形態に係るデジタルカメラの正面側の外観を示す斜視図であり、（Ｂ）は、デジタルカメラの裏面側の外観を示す斜視図である。
【図３】本発明の実施の形態に係るデジタルカメラの制御系の概略構成図である。
【図４】本発明の実施の形態に係るバックアップカードの概略構成図である。
【図５】本発明の実施の形態に係るデジタルカメラ側の撮影時記録処理の流れを示すフローチャートである。
【図６】本発明の実施の形態に係るバックアップ転送処理の流れを示すフローチャートである。
【図７】本発明の実施の形態に係るバックアップカード側の撮影時記録処理の流れを示すフローチャートである。
【図８】本発明の実施の形態に係るデジタルカメラ側のバックアップ画像読込処理の流れを示すフローチャートである。
【図９】本発明の実施の形態に係るバックアップカード側のバックアップ画像読込処理の流れを示すフローチャートである。
【符号の説明】
１０    デジタルカメラ
３６    通信インタフェース
４０    ＣＰＵ
４８    メディア制御部
５２    通信制御部
５４    操作ボタン系
６０    メモリカード
７０    バックアップカード
７２    メインコントローラ
７４    通信インタフェース
７６    データ処理部
７８    記憶部
【図１】
2004153369.tif 000003
【図２】
2004153369.tif 000004
【図３】
2004153369.tif 000005
【図４】
2004153369.tif 000006
【図５】
2004153369.tif 000007
【図６】
2004153369.tif 000008
【図７】
2004153369.tif 000009
【図８】
2004153369.tif 000010
【図９】
2004153369.tif 000011